【事件の表示】
　平成　９年特許願第　６９８２４号「繊維製品の汚れ防止方法」拒絶査定不服審判事件〔平成１０年１０月　６日出願公開、特開平１０−２６３４９７〕について、次のとおり審決する。
【結　論】
　本件審判の請求は、成り立たない。
【理　由】
１．手続の経緯・本願発明
　本願は、平成９年３月２４日の出願であって、平成１６年１１月２２日付けで拒絶査定がなされ（平成１６年１１月３０日発送）、これに対し、平成１７年１月４日に拒絶査定不服審判の請求がなされ、その後平成２０年１０月６日付けで当審による拒絶理由の通知がなされ、平成２０年１２月４日付けでこれに対し手続補正がなされたものであって、その請求項１に係る発明は、平成１６年５月２８日付け、及び平成２０年１２月４日付け手続補正書により補正された明細書の記載からみて、その特許請求の範囲の請求項１に記載された事項により特定される次のとおりのものである（以下「本願発明」という）。
　
「水分を含んだ状態にある繊維製品の表面に、当該繊維製品と汚れとの接触を防止し得る被覆剤をスプレー噴霧により存在させ、当該繊維製品を使用した後、前記被覆剤を除去することを特徴とする繊維製品の汚れ防止方法であって、被覆剤が、繊維製品の表面に皮膜を形成し得る水溶性のカルボキシメチルセルロースである、繊維製品の汚れ防止方法。」
　
２．引用例の記載事項
　一方、当審で通知した拒絶の理由に引用した、特開昭５２−１８９９２号公報（以下「引用例」という）には、次の事項が記載されている。
　　
　ア　「糊剤は一般には、ワイシャツ、ブラウス、ズボン等の衣料に張りを与え型を整えるのに用いられる。又糊付けすることにより通風性が向上したり、汚れ落ちが良好になる等の性質が出てくる。・・・一般に市販されている糊剤は、α−澱粉、カルボキシメチルセルローズ、酢酸ビニルエマルジョン等が使用されている。」（１頁左下欄１４行〜右下欄７行）
　　
　イ　「即ち本発明は、水溶液が低粘度を示す糊剤用高分子基剤に、スチレン−無水マレイン酸共重合体の部分エステル化物を含み、５％水溶液の粘度が５〜３０センチポイズとなる糊剤組成物を提供するものである。本発明において使用する糊剤用高分子基剤としては、特に低粘度の化工澱粉が好ましい。・・・その他低粘度を示す糊剤用高分子基剤、例えばポリビニルアルコール、ポリ（メタ）アクリル酸塩、カルボキシメチルセルローズ等も使用することができる。
　これらの糊剤用高分子基剤は高分子量即ち水溶液の粘度が高い場合には、糊付けした時、それ自身でもある程度の汚れ脱落効果を示す。しかし使用に際して溶解し難く、或いは好ましい張り強度を与える濃度に溶解した溶液は粘度が高く、エアゾールのような形態にした時に良好なスプレー状態を得ることが出来ない。従ってここで低粘度の糊剤用高分子基剤とは、５％水溶液の粘度が２０℃で５〜３０センチポイズになるものが好ましい。
　これら水溶液が低粘度を示す糊剤用高分子基剤に、スチレン−無水マレイン酸共重合体の部分エステル化物を添加すると、著しい相乗効果のあることが見出された。」（２頁左上欄６行〜右上欄１７行）
　　
　ウ　「スチレン−無水マレイン酸共重合体の部分エステル化物の粘度は、アルカリで中和した５％水溶液として、水溶液粘度で５〜４０センチポイズのものが好ましい。余り粘度が高いと特にエアゾール型の糊剤にした時に良好なスプレーパターンを得ることができない。
　本発明の組成は、（Ａ）化工澱粉などの水溶液が低粘度を示す糊剤用高分子基剤１〜９９％、好ましくは２０〜９５％と、（Ｂ）スチレン−無水マレイン酸共重合体の部分エステル化物９９〜１％、好ましくは８０〜２０％から成り、その５％水溶液の粘度が２０℃で５〜３０センチポイズとなるものである。粘度がこれを越えるものは、エアゾール或いは噴霧器でスプレーする時良好な霧を得ることができず、又布への浸透が悪くなる。ここで５％水溶液に規定したのは、直接布にスプレーした時に手頃な張り強度を付与する濃度であり、エアゾール缶に充填した時につまりを生じないような固形分含量であるからである。」（２頁右下欄４行〜３頁左上欄３行）
　　　　
　エ　「実施例１．　Ａ，ヒドロキシプロピル化澱粉（５％水溶液が２０℃で粘度１０センチポイズのもの）Ｂ，スチレン−無水マレイン酸共重合体の部分エチルエステル化物（エステル化度０．５、５％水溶液が２０℃で２３センチポイズのもの）の２種の高分子の混合物の５％水溶液を作り、これにポリエステル／綿＝６５／３５の混紡布を浸漬し風乾した。この糊付布を汚染液＊１に浸漬し人工汚染布を作製した。市販重質洗剤（ニュービーズ、花王石鹸製）の０．１５％水溶液中（２０℃）でターゴトメーターを用い上記汚染布を１０分間洗浄し、５分間すすいだ時の結果は表１の通りである。」（３頁左上欄１１行〜右上欄７行）
　　
　オ　「実施例２　各種糊剤の５％水溶液を作り、実施例１に準じて汚染布の洗浄率を求めた結果は表２の通りである。」（３頁左下欄下より２行〜右下欄２行）
　　
　カ　３頁右下欄の表２には、「糊剤の種類」の欄に「参考例（既知糊剤）」として「カルボキシメチルセルローズ（和光純薬工業製）」が記載され、対応する「洗浄率（％）」が「５７」であることが記載されている。
　　　
　キ　「実施例３．　カルボキシメチル化澱粉　５（５％水溶液の粘度は１５センチポイズ）　スチレン−無水マレイン酸共重合体部分０．５ドデシルエステル化物（エステル化度０．２５）・・・　上記組成物をエアゾール缶に充填し更に液化プロパンガスを組成物に対し２０％添加しスプレー糊を作った。この糊をワイシャツの衿部に十分スプレーし乾燥した。２日間着用すると衿度は汚れるが、洗剤を用いて洗濯するとほぼ完全に汚れは除去される。一方未処理のワイシャツを着用し洗浄した時には汚れは完全には脱落し得ず、更にその部分の部分的洗浄が必要であった。」（４頁左上欄３行〜右上欄３行）
　
　上記記載について検討すると、前記アには、衣料に糊付けすることにより「汚れ落ちが良好になる等の性質がでてくる」と記載され、衣料の汚れ防止を目的の一つとして糊付けをすることが記載されているとともに、このような糊付けに用いる糊剤としてカルボキシメチルセルローズが例示されている。
　
　前記イには、エアゾールのような形態にした時に良好なスプレー状態を得るためには、５％水溶液の粘度が５〜３０センチポイズとなるような低粘度を示す糊剤用高分子基剤が好ましいこと、そのような糊用高分子基剤として、カルボキシメチルセルローズを使用できることが記載されている。なお、水溶液となるのであるから、このカルボキシメチルセルローズが水溶性であることは自明である。
　
　前記ウには、エアゾール或いは噴霧器でスプレーする時良好な霧を得、又布への浸透を良好とするためには、糊剤の５％水溶液の粘度が２０℃で５〜３０センチポイズとなることが必要である旨記載されている。
　　
　前記エ〜カには、カルボキシメチルセルローズの５％水溶液を作り、これにポリエステル／綿＝６５／３５の混紡布を浸漬し風乾し、この糊付布を汚染液に浸漬し人工汚染布を作製した後、市販重質洗剤水溶液を用い１０分間洗浄し、５分間すすぐと、５７％の洗浄率を示した旨記載されており、このことより、引用例には、糊剤としてのカルボキシメチルセルローズを布の表面に付与し、布を汚した後、水で洗浄して除去すると、５７％の洗浄率を示し、汚れ防止に効果があったことが記載されているといえる（３頁左下欄表１より、未処理布は、２３％である。）。　なお、カルボキシメチルセルローズのような水溶液で付与される糊剤が、水洗によって再度水に溶け衣料より除去されることは当業者にとり明らかである。
　　　　　
　前記キには、低粘度を示す糊剤用高分子基剤を含む水溶液のスプレー糊を、ワイシャツの衿部に十分スプレーし乾燥し、ワイシャツを着用して汚した後、洗濯して汚れを除去することが記載されている。
　　
　以上のように、前記イ、ウより、カルボキシメチルセルローズは、水溶液をスプレーにより布に付与することのできる糊剤であるといえ、記載エ〜カより布にカルボキシメチルセルローズ水溶液を付与した後布を汚し、その後汚れた布を洗浄すると、汚れが糊剤とともに除去されることが確認されており、また、記載「キ」には衣料（ワイシャツ）に糊剤水溶液をスプレーして付与し、衣料を着用した後、洗濯して汚れを除去することが記載されているから、引用例には、カルボキシメチルセルローズ水溶液の糊剤をスプレーして衣料に付与し、衣料を着用した後、洗濯して汚れと糊剤とを除去する汚れ防止方法が記載されているといえる。
　
　上記記載事項を総合し、本願発明の記載ぶりに則って整理すると、引用例には次の発明（以下「引用発明」という）が記載されている。　　
「衣料の表面に、糊剤をスプレーにより存在させ、当該衣料を着用した後、前記糊剤を除去する衣料の汚れ防止方法であって、糊剤が、水溶性のカルボキシメチルセルローズである、衣料の汚れ防止方法。」
　
３．対比
　そこで、本願発明と引用発明とを対比すると、各文言の意味、機能または作用等からみて、引用発明の「衣料」は、本願発明の「繊維製品」に相当し、引用発明の「糊剤」は、衣料に付与されると衣料の表面を覆い、衣料と汚れとの接触を防止し得るものであることは当業者にとり明らかであるから、本願発明の「当該繊維製品と汚れとの接触を防止し得る」「被覆剤」に相当するといえるので、引用発明の「衣料の表面に、糊剤をスプレーにより存在させ」は、本願発明の「繊維製品の表面に、当該繊維製品と汚れとの接触を防止し得る被覆剤をスプレー噴霧により存在させ」に相当する。
　　
　また、引用発明の「当該衣料を着用した後、前記糊剤を除去する」「衣料の汚れ防止方法」は、本願発明の「当該繊維製品を使用した後、前記被覆剤を除去する」「繊維製品の汚れ防止方法」に相当し、引用発明の「糊剤が、水溶性のカルボキシメチルセルローズである」は、糊剤が繊維製品（衣料）の表面を覆い、表面に被膜を形成することは当業者にとり明らかであり、また「カルボキシメチルセルローズ」が「カルボキシメチルセルロース」と同義であるので、本願発明の「被覆剤が、繊維製品の表面に皮膜を形成し得る水溶性のカルボキシメチルセルロースである」に相当する。
　　　
　したがって、両者は、本願発明の用語を用いて表現すると、次の点で一致する。
（一致点）
「繊維製品の表面に、当該繊維製品と汚れとの接触を防止し得る被覆剤をスプレー噴霧により存在させ、当該繊維製品を使用した後、前記被覆剤を除去する繊維製品の汚れ防止方法であって、被覆剤が、繊維製品の表面に皮膜を形成し得る水溶性のカルボキシメチルセルロースである、繊維製品の汚れ防止方法。」
　
　そして、両者は、次の点で相違する（対応する引用発明（引用例記載）の用語を（　）内に示す）。
　　
（相違点）
　本願発明は「水分を含んだ状態にある繊維製品の表面に」、「被覆剤をスプレー噴霧により存在させ」ているのに対し、引用発明は、繊維製品（衣料）の表面に、被覆剤（糊剤）をスプレー噴霧（スプレー）により存在させているものであるが、表面にスプレー噴霧（スプレー）により被覆剤（糊剤）を存在させるとき、繊維製品（衣料）が「水分を含んだ状態にある」か否か不明な点。
　
４．判断
　上記相違点について検討する。
　　
　一般に、糊付け工程を繊維製品の洗濯工程に引き続いて行うこと、及び洗濯により水分を含んだ状態にある（乾燥前の）繊維製品の表面に糊剤の付与を行うことは、従来より周知（例えば、実願昭６３−１３７４０１号（実開平２−５９７９７号）のマイクロフィルム（明細書１頁１４〜１６行、同２頁２〜３行参照：「従来、この種の衣類への糊付け方法としては洗濯と同時に糊付けを行ない、乾燥後アイロンと別々に行なっていた」との記載。）、特開昭５２−９１５６２号公報（１頁右下欄２〜４行：「ベツドシーツ等の洗浄、水洗、糊付、乾燥、仕上げの一連の過程は被洗濯布が多量にある場合一般的に各工程の単能機械の組合せにより行なわれている」との記載。）参照。）である。
　　
　また糊付け方法としては、引用例にも記載されるように、繊維製品を糊溶液に浸漬する方法と、繊維製品に糊溶液をスプレー噴霧する方法とが周知であるが、後者の場合、例えば洗濯した衣料をハンガー等に吊して干す際に、湿った状態の衣料に糊溶液をスプレー噴霧する等の糊付け方法が従来より慣用されている。
　　
　してみると、繊維製品（衣料）の表面に被覆剤（糊剤）をスプレー噴霧するにあたり、特に水分を含んだ状態にある繊維製品にスプレー噴霧するようにして、相違点に係る本願発明の発明特定事項のようにした点は、当業者が適宜なし得た程度の事項にすぎない。
　　
　さらに付言すれば、乾燥した状態の繊維製品に、糊剤の水溶液をスプレー噴霧した場合にも、繊維製品は水溶液が含む水分によって湿り、その工程は、結果的に「水分を含んだ状態にある繊維製品の表面に、当該繊維製品と汚れとの接触を防止し得る被覆剤をスプレー噴霧により存在させ」たことになるので（例示するまでもなく周知の事項であるが、例えば、引用例の記載キに「この糊をワイシャツの衿部に十分スプレーし乾燥した」と、糊剤のスプレー後、スプレーすることにより湿ったワイシャツを乾燥することが示されており、また、特開昭５３−４９１９０号に「又、化工でんぷんのスプレー糊は通常衣類などにスプレーし、衣類が湿った状態のまゝでアイロンがけをする為」（公報２頁右上欄７〜９行）との記載がある点参照。）、このことからも、特に水分を含んだ状態にある繊維製品にスプレー噴霧により被覆剤を存在させるようにした点は、格別のものとはいえない。
　
　そして、本願発明による効果も、引用発明及び周知技術から当業者が予測し得た程度のものであって、格別のものとはいえない。
　
５．むすび
　したがって、本願発明は、引用発明及び周知技術に基いて、当業者が容易に発明をすることができたものであるので、特許法第２９条第２項の規定により、特許を受けることができない。
　　
　よって、結論のとおり審決する。